(57)【要約】  【課題】  可視光で撮像した画像信号と赤外線により撮像した画像信号の双方が得られるようにした固体撮像装置を提供すること。  【解決手段】  感光部Ｐと蓄積部Ｑを備えた撮像画素Ｅに、可視光撮像用光学フィルタとして働くフィルタ部Ｆ１と、赤外光撮像用光学フィルタとして働くフィルタ部Ｆ２を個別に設け、転送信号Ｇ１を供給したときは、フィルタ部Ｆ１を備えた撮像画素Ｅだけから映像信号が読出され、転送信号Ｇ２を供給したときはフィルタ部Ｆ２を備えた撮像画素Ｅだけから映像信号が読出されるようにしたもの。  【選択図】  図１
2006067194.tif 000002
【特許請求の範囲】
【請求項１】
複数個の受光素子を行方向と列方向に配列して撮像面とした固体撮像装置において、
前記複数個の受光素子がそれぞれ独立した光学フィルタを備え、
前記光学フィルタが前記受光素子毎に少なくとも２種の異なった通過特性を備えていることを特徴とする固体撮像装置。
【発明の詳細な説明】
【技術分野】
【０００１】
本発明は、テレビジョンカメラ用の固体撮像装置に係り、特に可視光画像と赤外光画像の双方の画像が撮像できるようにした固体撮像装置に関するものである。
【背景技術】
【０００２】
テレビジョンカメラ装置の撮像素子は、感光部と蓄積部からなる受光素子を撮像用の画素とし、それを画素数分だけ二次元配置し、感光部で光電変換された電荷を蓄積部で蓄積して映像信号を取り出すようにしたＣＣＤ(Charge Coupled Device)型とＭＯＳ(Metal Oxide Semiconductor)型の固体撮像装置が従来から主流になっている。
【０００３】
ここで、ＣＣＤ型固体撮像装置の場合、図３に示すように、受光素子の感光部Ｐに入射した光信号Ｉを当該感光部Ｐで光電変換し、垂直映像期間中、電荷として蓄積部Ｑに蓄積し、この蓄積部Ｑの電荷を転送信号Ｇにより垂直ブランキング期間に一斉に垂直転送部ＶＣに転送させるようになっている。
【０００４】
そして、詳しい説明は省略するが、垂直転送部ＶＣに転送された電荷を、水平ブランキング期間に１ラインずつ水平転送部ＨＣに転送させ、この水平転送部ＨＣに転送された電荷を映像期間に読出して映像信号Ｖを得るのである(例えば、特許文献１参照。)。
【０００５】
ところで、このような固体撮像装置の受光素子として使用されている感光部は、図４に示すように、可視光領域(約３８０〜７７０ｎｍ)に感度を有するのは当然として、それ以外に赤外光(８００〜１５００ｎｍ)の一部の領域も含む２００ｎｍから１０００ｎｍまでの波長領域に感度を有する。
【０００６】
このため、赤外光に対して高い反射率を持つ物体、例えば赤外光に対して約８０％の反射率を持つ紙を被写体として撮像した場合、赤外光による情報が支配的になって、可視光の情報による撮像が充分に得られなくなってしまうという問題が生じる。
【０００７】
そこで、固体撮像装置の従来技術では、図５に示すように、波長が７７０ｎｍ以上の光の通過を阻止するフィルタ、いわゆるＩＲ(Infrared)カットフィルタＦを撮像装置Ｃの入射面側に配置し、３８０〜７７０ｎｍの波長領域の可視光だけを通過させ、赤外光による情報を含まない映像が得られるようにしている。
【０００８】
ところで、近年、テレビジョン装置の用途が大きく拡がり、例えば各種の監視システムにも広く使用されるようになっているが、この場合、夜間の監視には赤外光による撮像が有効なことから、赤外線による撮影も可能にしたテレビジョンカメラ装置が使用される場合がある。
【０００９】
そして、この場合、上記した赤外光領域にも感度を有する固体撮像装置を用い、必要に応じてＩＲカットフィルタを撮像光学系に装着したり、取外したりして対応することができるようにしたテレビジョンカメラ装置が従来から知られている。
【特許文献１】特開２００２−９４８８０号公報
【発明の開示】
【発明が解決しようとする課題】
【００１０】
上記従来技術は、可視光による撮像と赤外光による撮像の切換えにＩＲカットフィルタの装着と取外しを要する点に配慮がされておらず、可視光による撮像と赤外光による撮像が同時に得られないという問題がある。
【００１１】
本発明は、上記の事情に鑑みてなされたもので、その目的は、可視光で撮像した画像信号と赤外線により撮像した画像信号の双方が得られるようにした固体撮像装置を提供することにある。
【課題を解決するための手段】
【００１２】
上記目的は、複数個の受光素子を行方向と列方向に配列して撮像面とした固体撮像装置において、前記複数個の受光素子がそれぞれ独立した光学フィルタを備え、前記光学フィルタが前記受光素子毎に少なくとも２種の異なった通過特性を備えているようにして達成される。
【００１３】
このとき前記少なくとも２種の異なった通過特性を備えた光学フィルタが、可視光撮像用フィルタと赤外光撮像用フィルタであり、これら可視光撮像用フィルタと赤外光撮像用フィルタが、前記撮像面の行方向では同じ種類が並んで配列され、列方向方では２種の一方と他方が２個づつ交互に配列されているようにしても、上記目的が達成される。
【００１４】
また、同じく前記少なくとも２種の異なった通過特性を備えた光学フィルタが、可視光撮像用フィルタと赤外光撮像用フィルタの２種であり、これら可視光撮像用フィルタと赤外光撮像用フィルタが、前記撮像面の行方向では同じ種類が並んで配列され、列方向方では２種が交互に配列されているようにしても上記目的が達成される。
【００１５】
更に、前記少なくとも２種の異なった通過特性を備えた光学フィルタが、赤色光撮像用フィルタと、緑色光撮像用フィルタ、青色光撮像用フィルタ、それに赤外光撮像用フィルタの４種であり、これら赤色光撮像用フィルタと緑色光撮像用フィルタ、青色光撮像用フィルタ、それに赤外光撮像用フィルタが、前記撮像面の行方向では４種づつ順次並んで配列され、列方向では同じ種類が並んで配列されているようにしても上記目的が達成される。
【発明の効果】
【００１６】
本発明によれば、可視光による撮像と赤外光による撮像が同一の固体撮像装置で同時に行うことができ、この結果、１台のテレビジョンカメラ装置で可視光領域で撮像した画像と赤外光領域で撮像した画像の２種の画像信号を得ることができる。
【００１７】
また、この結果、本発明によれば、同一の方向から同時に撮像した同じ被写体の画像を可視光と赤外光により独立してモニタすることができる。
【発明を実施するための最良の形態】
【００１８】
以下、本発明による固体撮像装置について、実施の形態により詳細に説明すると、ここで、まず、図１は、本発明の第１の実施形態で、これは、垂直ライン数が５２５本(有効４８４本)で水平画素数は９１０個(有効７２０個)のＣＣＤ型固体撮像装置に本発明を適用し、これをＮＴＳＣ(National Television System Committee)方式によりインタレース走査するようにした場合の一実施形態である。
【００１９】
この図１で、まず、Ｅは受光素子で、感光部Ｐと蓄積部Ｑを備えることにより撮像画素(撮像用の画素)を構成し、図示のように、行方向と列方向に二次元配列され、固体撮像装置の撮像面を形成している。
【００２０】
次に、Ｆ１、Ｆ２はフィルタ部で、各受光素子Ｅ毎に独立して設けられている。従って、各受光素子Ｅには感光部Ｐと蓄積部Ｑに加えて、更に、これらのフィルタ部Ｆ１とフィルタ部Ｆ２の何れか一方が設けられていることになり、このとき、これらフィルタ部Ｆ１、Ｆ２は、それぞれ感光部Ｐの受光面(光電変換面)に配置してある。
【００２１】
そして、これらフィルタのうち、まずフィルタ部Ｆ１は、図５に示す特性を持った赤外光阻止(ＩＲカット)フィルタで、可視光撮像用光学フィルタとして働き、フィルタ部Ｆ２は、図６に示す特性を持った可視光阻止フィルタで構成され、赤外光撮像用光学フィルタとして働くものである。
【００２２】
ここで、上記したように、この実施形態では、垂直ライン数が５２５本(有効４８４本)で水平画素数は９１０個(有効７２０個)になっているので、撮像画素、つまり受光素子Ｅの数は３４８４８０(＝４８４×７２０)個になっている。
【００２３】
そして、これら３４８４８０個の受光素子Ｅは、上記したように、行方向と列方向に二次元配列されており、従って、垂直方向には４８６個、水平方向には７２０個、それぞれ配列されていることになる。
【００２４】
そこで、ここでは受光素子を表わす符号Ｅに２桁の添字を付け、このとき、図の左上端部を最初の位置とし、前の桁の添字が垂直方向の順番を表わし、後の桁の添字が最初の位置から水平方向での順番を表わすようにしてある。
【００２５】
そうすると、この図１の場合、左下端部にある受光素子はＥｍ１で右上端部にある受光素子はＥ１ｎとなり、右下端部にある受光素子はＥｍｎとなって、全体としてｍ行ｎ列の固体撮像装置を形成していることになる。
【００２６】
この結果、受光素子Ｅとフィルタ部Ｆ１、Ｆ２について見ると、図１に示されているように、可視光撮像用光学フィルタとして働くフィルタ部Ｆ１と、赤外光撮像用光学フィルタとして働くフィルタ部Ｆ２が、固体撮像装置の撮像面の行方向では同じ種類が並んで配列され、列方向方では２種の一方と他方が２個づつ交互に配列されていることになる。
【００２７】
そして、この実施形態でも、各受光素子Ｅの感光部Ｐに入射した光信号Ｉを当該感光部Ｐで光電変換し、垂直映像期間中、電荷として蓄積部Ｑに蓄積し、この蓄積部Ｑの電荷を垂直ブランキング期間に一斉に垂直転送部ＶＣに転送させ、垂直転送部ＶＣに転送された電荷を、水平ブランキング期間に１ラインずつ水平転送部ＨＣに転送させ、この水平転送部ＨＣに転送された電荷を映像期間に読出して映像信号ＶＩを得るようになっている。
【００２８】
次に、このときの感光部Ｐと蓄積部Ｑ、それに垂直転送部ＶＣについて、更に詳しく説明すると、まず、感光部Ｐにおいて、Ｐ１は奇数垂直アドレスに配置されている感光部を表わし、感光部Ｐ２は偶数垂直アドレスに配置されている感光部を表わす。
【００２９】
次に、蓄積部Ｑにおいて、Ｑ１１は奇数フィールドの奇数垂直アドレスに配置されている蓄積部を表わし、Ｑ１２は偶数フィールドの奇数垂直アドレスに配置されている蓄積部を表わす。同じく、蓄積部Ｑにおいて、Ｑ２１は奇数フィールドの偶数垂直アドレスに配置されている蓄積部を表わし、Ｑ２２は偶数フィールドの偶数垂直アドレスに配置されている蓄積部を表わしている。
【００３０】
そして、垂直転送部ＶＣにおいて、ＶＣ１１は奇数フィールドの奇数垂直アドレスに配置され各水平アドレスの垂直走査を行う垂直転送部を表わし、ＶＣ１２は偶数フィールドの奇数垂直アドレスに配置され各水平アドレスの垂直走査を行う垂直転送部を表わす。
【００３１】
同じく垂直転送部ＶＣにおいて、ＶＣ２１は奇数フィールドの偶数垂直アドレスに配置され各水平アドレスの垂直走査を行う垂直転送部を表わし、ＶＣ２２は偶数フィールドの偶数垂直アドレスに配置され各水平アドレスの垂直走査を行う垂直転送部を表わす。
【００３２】
次に、Ｇ１、Ｇ２は転送信号で、このとき転送信号Ｇ１は、蓄積部Ｑ１１の電荷を垂直転送部ＶＣ１１に転送すると共に蓄積部Ｑ１２の電荷を垂直転送部ＶＣ１２に転送する働きをし、転送信号Ｇ２は、蓄積部Ｑ２１の電荷を垂直転送部ＶＣ２１に転送すると共に、蓄積部Ｑ２２の電荷を垂直転送部ＶＣ２２に転送する働きをする。
【００３３】
このとき水平転送部ＨＣは、垂直転送部ＶＣから転送された電荷を映像期間に読出して水平走査を行ない、これによりインタレース映像信号ＶＩが出力されることになる。
【００３４】
次に、この実施形態の動作について説明すると、撮像動作時には、図示してない撮像光学系により、固体撮像装置の撮像面に被写体の像が結ばれる。そうすると、各受光素子Ｅのフィルタ部Ｆ１とフィルタ部Ｆ２に光信号Ｉが入射されるようになる。
【００３５】
そして、まず、フィルタ部Ｆ１に入射された光信号Ｉは、図５に示す透過率特性により赤外域がカットされた後、感光部Ｐ１で光から電荷に変換され、各画素の垂直映像期間の電荷として奇数垂直アドレスの蓄積部Ｑ１１、Ｑ１２に蓄積される。
【００３６】
また、フィルタ部Ｆ２に入射された光信号Ｉは、図６に示す透過率特性により可視域がカットされた後、感光部Ｐ２で光から電荷に変換され、各画素の垂直映像期間の電荷として偶数垂直アドレスの蓄積部Ｑ２１、Ｑ２２に蓄積される。
【００３７】
この結果、奇数垂直アドレスの蓄積部Ｑ１１、Ｑ１２には可視光による電荷だけが蓄積され、偶数垂直アドレスの蓄積部Ｑ２１、Ｑ２２には赤外光による電荷だけが蓄積されることになる。
【００３８】
このとき、転送信号Ｇ１は、奇数垂直アドレスに配置されている蓄積部Ｑ１１、Ｑ１２に供給され、蓄積部Ｑ１１の電荷を垂直転送部ＶＣ１１に転送する電荷転送タイミングと、蓄積部Ｑ１２の電荷を垂直転送部ＶＣ１２に転送する電荷転送タイミングの双方を制御する。
【００３９】
一方、転送信号Ｇ２は、偶数垂直アドレスに配置されている蓄積部Ｑ２１、Ｑ２２に供給され、同じく蓄積部Ｑ２１の電荷を垂直転送部ＶＣ２１に転送する電荷転送タイミングと、蓄積部Ｑ２２の電荷を垂直転送部ＶＣ２２に転送する電荷転送タイミングの双方を制御する。
【００４０】
この結果、奇数垂直アドレスには可視光により撮像された映像信号が読出され、偶数垂直アドレスには赤外光により撮像された映像信号が読出されるようになり、これらが水平転送部ＨＣからインタレース映像信号ＶＩとして出力されることになる。
【００４１】
そこで、いま、転送信号Ｇ１だけを供給したとすると、奇数垂直アドレスに読出された映像信号、つまり可視光により撮像された映像信号がインタレース映像信号ＶＩとして出力され、反対に転送信号Ｇ２だけを供給したとすれば、偶数垂直アドレスに読出された映像信号、つまり赤外光により撮像された映像信号がインタレース映像信号ＶＩとして出力されることになる。
【００４２】
このとき、垂直方向画素数の減少を補うため、奇数アドレスの垂直ラインから読出した信号の補間により偶数アドレスの垂直ラインの信号を生成するようにしてもよく、偶数アドレスの垂直ラインから読出した信号の補間により奇数アドレスの垂直ラインの信号を生成するようにしてもよい。
【００４３】
従って、この実施形態によれば、可視光により撮像された映像信号と赤外光により撮像された映像信号が、転送信号により任意に選択することができ、同一の固体撮像装置で可視光による撮像と赤外光による撮像を同時に行うことができる。
【００４４】
よって、この実施形態によれば、１台のテレビジョンカメラ装置から、可視光領域で撮像した画像と赤外光領域で撮像した画像の２種の画像信号が任意に切換えて得ることができ、この結果、同一の方向から同時に撮像した同じ被写体の画像を可視光と赤外光により独立してモニタすることができる。
【００４５】
ところで、以上に説明した実施形態では、インタレース走査方式の画像信号ＶＩを得るようにした場合の一実施形態であるが、次に、ノンインタレース走査方式の画像信号を得るようにした場合の本発明の一実施形態について、図２により説明する。
【００４６】
ここで、この図２も、同じく同じく垂直ライン数５２５本(有効４８４本)、水平画素数数９１０本(有効７２０本)のＣＣＤ方式の電荷転送を応用した撮像装置に本発明を適用し、撮像画素となる複数個の受光素子Ｅを撮像面に備えているものである。
【００４７】
このとき撮像画素となる各々の受光素子Ｅの構成自体も、図１の実施形態と同じで、何れも感光部Ｐと蓄積部Ｑに加えてフィルタ部Ｆ１とフィルタ部Ｆ２の何れか一方を備えているが、しかし、この図２の実施形態では、このときの蓄積部Ｑの垂直アドレスが異なっている。すなわち、図２に示すように、各蓄積部Ｑのうち、蓄積部Ｑ１は奇数垂直アドレスに配置され、蓄積部Ｑ２は偶数垂直アドレスに配置されている。
【００４８】
従って、この実施形態の場合、フィルタ部Ｆと感光部Ｐについても、フィルタ部Ｆ１と感光部Ｐ１は奇数垂直アドレスに配置され、フィルタ部Ｆ２と感光部Ｐ２は偶数垂直アドレスに配置されていることになる。
【００４９】
この結果、受光素子Ｅとフィルタ部Ｆ１、Ｆ２について見ると、図２に示されているように、可視光撮像用光学フィルタとして働くフィルタ部Ｆ１と、赤外光撮像用光学フィルタとして働くフィルタ部Ｆ２が、固体撮像装置の撮像面の行方向では同じ種類が並んで配列され、列方向方では２種が交互に配列されていることになる。
【００５０】
また、この結果、垂直転送部ＶＣ１は奇数垂直アドレスに配置された垂直転送部となり、垂直転送部ＶＣ２は偶数垂直アドレスに配置された垂直転送部となっていて、各々水平アドレスの垂直走査を行なうことになる。
【００５１】
そして、転送信号Ｇ１は蓄積部Ｑ１の電荷を垂直転送部ＶＣ１に転送する信号で、転送信号Ｇ２は蓄積部Ｑ２の電荷を垂直転送部ＶＣ２に転送する信号となり、これにより、水平転送部ＨＣからノンインタレース映像信号ＶＰが得らることになる。
【００５２】
次に、この図２の実施形態の動作について説明すると、垂直映像期間にフィルタ部Ｆ１に入射した光信号Ｉは、赤外光領域がカットされから感光部Ｐ１で電荷に変換され、奇数垂直アドレスの蓄積部Ｑ１に蓄積され、同じくフィルタ部Ｆ２に入射した光信号Ｉは、可視光領域がカットされた後、感光部Ｐ２で電荷に変換され、偶数垂直アドレスの蓄積部Ｑ２に蓄積される。
【００５３】
このとき、上記したように、転送信号Ｇ１は奇数垂直アドレスに配置されている蓄積部Ｑ１に供給され、蓄積部Ｑ１の電荷を垂直転送部ＶＣ１に転送する電荷転送タイミングを制御し、転送信号Ｇ２は偶数垂直アドレスに配置されている蓄積部Ｑ２に供給され、蓄積部Ｑ２の電荷を垂直転送部ＶＣ２に転送する電荷転送タイミングを制御する。
【００５４】
この結果、奇数垂直アドレスには可視光により撮像された映像信号が読出され、偶数垂直アドレスには赤外光により撮像された映像信号が読出されるようになり、これらが水平転送部ＨＣからノンインタレース映像信号ＶＰとして出力されることになる。
【００５５】
そこで、いま、転送信号Ｇ１だけを供給したとすると、奇数垂直アドレスに読出された映像信号、つまり可視光により撮像された映像信号がノンインタレース映像信号ＶＰとして出力され、反対に転送信号Ｇ２だけを供給したとすれば、偶数垂直アドレスに読出された映像信号、つまり赤外光により撮像された映像信号がノンインタレース映像信号ＶＰとして出力されることになる。
【００５６】
従って、この実施形態によっても、可視光により撮像された映像信号と赤外光により撮像された映像信号が、転送信号により任意に選択でき、この結果、同一の固体撮像装置で可視光による撮像と赤外光による撮像を同時に行うことができる。
【００５７】
また、この実施形態によれば、可視光領域で撮像した画像と赤外光領域で撮像した画像の２種の画像信号が１台のテレビジョンカメラ装置から任意に切換えて得ることができ、しかも同一の方向から同時に撮像した同じ被写体の画像を可視光と赤外光により独立してモニタすることができる。
【００５８】
なお、以上の実施形態では、本発明をＣＣＤ方式の固体撮像装置に適用した場合について説明したが、本発明は、以上に説明したように、奇数垂直ラインと偶数垂直ラインの垂直走査部の画素で波長感度特性が異なることを特徴とする。従って、本発明は、これらの実施形態に限定されることなく、Ｘ−Ｙアドレス方式で電荷を転送するＭＯＳ型方式の撮像装置などにも適用することができる。
【００５９】
また、走査方式に関して上記実施形態では、垂直ライン数５２５本(有効４８４本)、水平画素数数９１０本(有効７２０本)でインタレース走査するＮＴＳＣ方式とノンインタレース走査の５２５Ｐ方式について説明したが、本発明はこれに限定されるものではなく、ＨＤＴＶ(High Definition TeleVision)方式など垂直ライン数１１２５本(有効１０３５本)で、水平画素数数２２００本(有効１９２０本)のインタレース走査方式の撮像装置にも適用可能なことはいうまでもない。
【００６０】
次に、本発明の更に別の実施形態について説明すると、これは、可視光による撮像にＲ(赤)Ｇ(緑)Ｂ(青)の三原色による撮像を適用したもので、図８に示すように、撮像素子Ｓ(固体撮像装置)の受光素子Ｅ１１〜Ｅｍｎとして、赤色の可視光に感度をもった撮像画素Ｒ(Ｒ１１〜Ｒｍｎ)と緑色の可視光に感度をもった撮像画素Ｇ(Ｇ１１〜Ｇｍｎ)、青色の可視光に感度をもった撮像画素Ｂ(Ｂ１１〜Ｂｍｎ)、それに赤外光に感度をもった撮像画素ＩＲ(ＩＲ１１〜ＩＲｍｎ)を夫々配置させたものである。
【００６１】
ここで、受光素子Ｅ１１〜Ｅｍｎは何れも上記した感光部Ｐと蓄積部Ｑを備えたものであるが、このとき、まず、撮像画素Ｒは、赤色光撮像用フィルタを感光部Ｐに配置して赤色の可視光に感度をもつようにしたものである。
【００６２】
そして、以下、同様に、撮像画素Ｇは緑色光撮像用フィルタを感光部Ｐに配置して緑色の可視光に感度をもつようにしたもので、撮像画素Ｂは青色光撮像用フィルタを感光部Ｐに配置して青色の可視光に感度をもつようにしたものであり、撮像画素ＩＲは赤外光撮像用フィルタを感光部Ｐに配置して赤外光に感度をもつようにしたものである。
【００６３】
従って、この撮像素子Ｓでは、赤色光撮像用フィルタと緑色光撮像用フィルタ、青色光撮像用フィルタ、それに赤外光撮像用フィルタが、撮像面の行方向では４種づつ順次並んで配列され、列方向では同じ種類が並んで配列されていることになる。
【００６４】
次に、図９は、この撮像素子Ｓを用いたテレビジョン撮像装置のブロック図で、図示のように、撮像素子Ｓは撮像素子駆動回路ＳＤにより駆動され、映像信号を出力する。そして、この映像信号が映像信号処理回路ＶＳで処理され、映像信号出力回路ＶＯを介して外部に出力される。
【００６５】
このとき、ＣＰＵを備えた制御回路ＣＯにより、撮像素子駆動回路ＳＤが制御され、これにより、カラー映像信号と赤外線映像信号の双方のうちの一方が撮像素子Ｓから選択して読出されるようになっている。
【００６６】
具体的に説明すると、カラー映像信号を読出すときは、撮像素子Ｓの撮像画素Ｒと撮像画素Ｇ、それに撮像画素Ｂから映像信号を取り出し、赤外線映像信号を読出すときは、撮像画素ＩＲから映像信号を取り出すことになる。
【００６７】
従って、この図９の実施形態によれば、カラー撮像された映像信号と赤外光撮像された映像信号が任意に選択でき、この結果、同一の固体撮像装置で天然色による撮像と赤外光による撮像を同時に行うことができる。
【００６８】
ここで、この図９のテレビジョン撮像装置は、撮像対象の明るさに応じてカラー映像信号と赤外線映像信号が自動的に選択されるように構成してあり、昼間などで被写体の輝度が充分なときはカラー映像信号を読出し、夜間などで暗いときは赤外線映像信号を読出すようになっている。
【００６９】
このとき、撮像視野の明るさの判定は、カラー撮像された映像信号のレベルにより行なう。このため、制御回路ＣＯは、カラー撮像された映像信号のレベルを検出し、それを所定の閾値と比較し、閾値以上のときはカラーによる撮像を選択し、以下のときは赤外光による撮像に切換えるようになっている。
【００７０】
従って、この実施形態によれば、監視用に適用することにより、昼間など明るいときは被写体の識別が容易なカラー画像によるモニタが行え、夜間など暗いときには、白黒表示になるが赤外光による高感度のモニタが得られることになる。
【００７１】
ここで、夜間など暗いときは、例えば、図８の固体撮像装置を使用した場合は、受光素子Ｅ１１の撮像画素Ｒ１１、Ｇ１１、Ｂ１１、ＩＲ１１から出力される映像信号を遅延器で時間合わせ後、加算する。同様に受光素子Ｅｍｎまで加算処理する。これらの処理をすることにより、高感度の白黒画像を得ることができる。
【図面の簡単な説明】
【００７２】
【図１】本発明による固体撮像装置の第１の実施形態における撮像画素の配置図である。
【図２】本発明による固体撮像装置の第２の実施形態における撮像画素の配置図である。
【図３】従来技術による固体撮像装置の一例における撮像画素の配置図である。
【図４】固体撮像装置における撮像素子の分光感度特性図である。
【図５】赤外光阻止フィルタの透過率特性図である。
【図６】可視光阻止フィルタの透過率特性図である。
【図７】従来技術による撮像光学系の説明図である。
【図８】本発明による固体撮像装置の第３の実施形態における撮像画素の配置図である。
【図９】本発明による固体撮像装置を適用したテレビジョン撮像装置の一例を示すブロック構成図である。
【符号の説明】
【００７３】
Ｉ：光信号
Ｆ１：奇数垂直アドレスに配置されるフィルタ部
Ｆ２：偶数垂直アドレスに配置されるフィルタ部
Ｐ１：奇数垂直アドレスに配置される感光部
Ｐ２：偶数垂直アドレスに配置される感光部
Ｑ１１：奇数フィールドの奇数垂直アドレスに配置される蓄積部
Ｑ１２：偶数フィールドの奇数垂直アドレスに配置される蓄積部
Ｑ２１：奇数フィールドの偶数垂直アドレスに配置される蓄積部
Ｑ２２：偶数フィールドの偶数垂直アドレスに配置される蓄積部
Ｑ１：奇数垂直アドレスに配置される蓄積部
Ｑ２：偶数垂直アドレスに配置される蓄積部
ＶＣ１１：奇数フィールドの奇数垂直アドレスに配置される垂直転送部
ＶＣ１２：偶数フィールドの奇数垂直アドレスに配置される垂直転送部
ＶＣ２１：奇数フィールドの偶数垂直アドレスに配置される垂直転送部
ＶＣ２２：偶数フィールドの偶数垂直アドレスに配置される垂直転送部
ＶＣ１：奇数垂直アドレスに配置される垂直転送部
ＶＣ２：偶数垂直アドレスに配置される垂直転送部
ＨＣ：水平転送部
Ｇ１：転送信号
Ｇ２：転送信号
ＶＩ：インタレース映像信号
ＶＰ：ノンインタレース映像信号
【図１】
2006067194.tif 000003
【図２】
2006067194.tif 000004
【図３】
2006067194.tif 000005
【図４】
2006067194.tif 000006
【図５】
2006067194.tif 000007
【図６】
2006067194.tif 000008
【図７】
2006067194.tif 000009
【図８】
2006067194.tif 000010
【図９】
2006067194.tif 000011